(57)【要約】【課題】対象物を透明または半透明に見せかける視覚効果を得る。【解決手段】光の入射面に入射した平行光は対物面鏡１（１０２）、側面鏡１（１０１）、側面鏡２（１０７）、観察面鏡２（１０６）に反射され観察者に届く。入射光の進行方向の情報を保存したまま観察面鏡に提示されるため、中央部の遮蔽空間（１０４）中に置かれたものは視界から消失したように見える。光を遮蔽したものの周囲を平行に反射させて迂回させることで透明効果を得ることができる。【選択図】図１
2010139997.tif 000002
【特許請求の範囲】
【請求項１】
対象物からの平行な入射光を受ける対照物側の対物鏡面とその反射光、または、複数回反射した反射光（以降、単に「反射光」と呼ぶ）を受ける側面側の側面鏡面１と、更に側面鏡面１の反射光を観察面鏡に反射させる側面鏡面２と、その反射光を観察者側に反射させる観察鏡面を設け、それらの鏡面の位置や角度を観察者の眼で対象物を視認できるように組み合わせた透明視覚効果演出方法において、多角柱側面表面上に対物鏡面及び観察鏡面を形成し、対物鏡面と観察面鏡に平行な対面に側面鏡を設けたことを特徴とする透明視覚効果演出方法及びその製品。
【請求項２】
多面体１と、多面体１の対物鏡面及び観察鏡面に合同な多角形を含んで構成された多面体２、の二つの多面体を想定したとき、多面体１の表面上に対物鏡面及び観察鏡面を形成し、更に多面体２中に多面体１を、多面体２の中心点から多面体１及び２の頂点が直線に並ぶように配置し、側面鏡は多面体２の内面に鏡面を形成することで構成し、入射光取り入れ口は、多面体１の１頂点（頂点ａ）を含む平面で多面体２を切断した切頭多面体の切断面（切断面Ａ）であり、同様に反射光出口は、頂点ａの多面体中心点を挟んで対角の頂点（頂点ｂ）を含む平面で切断した切断面（切断面Ｂ）から観察者方向へ反射させる多面体１と対角切頭多面体からなることを特徴とする請求項１に記載の透明視覚効果演出方法及びその製品。
【請求項３】
反射面で囲まれた遮蔽空間に光源を設け、点灯、消灯を制御するか、あるいは、該遮蔽空間への外部からの光の入射を制御することを特徴とする請求項１または２に記載の透明視覚効果演出方法及びその製品。
【発明の詳細な説明】
【技術分野】
【０００１】  商品の意匠的効果の演出技術、周囲環境から目立たなくする保護色効果や隠れ蓑効果に関する技術分野。
【背景技術】
【０００２】  従来周囲環境に合わせた色と模様を彩色することで保護色効果を演出していた。また、下記特許文献１によると視線上の対象画像の三次元画像を形成して表示することで隠れ蓑を作る技術が開示されている。しかし、背景の景色のように距離の違う対象物を多数表示しなければならない場合にはうまく機能させることは困難である。【０００３】
【特許文献１】特開２００６−３１９９３２
【発明の開示】
【発明が解決しようとする課題】
【０００４】  中身をあたかも存在しない、または、透明な物として視覚的に知覚させる隠れ蓑効果を実現させるためには、観察者の位置が隠れ蓑に対して変化すれば隠れ蓑表面から知覚される像を位置やサイズが観察者の位置と対象物の位置を結ぶ視線上に表示し、大きさも視線上の大きさになるように変化させることが望ましい。表示位置やサイズなどが、観察者の位置変化にあわせて適宜変化する隠れ蓑効果とその演出手段が求められている。
【課題を解決するための手段】
【０００５】  第一の手段は、対象物からの平行な入射光を受ける対照物側の対物鏡面とその反射光、または、複数回反射した反射光（以降、単に「反射光」と呼ぶ）を受ける側面側の側面鏡面１と、更に側面鏡面１の反射光を観察面鏡に反射させる側面鏡面２と、その反射光を観察者側に反射させる観察鏡面を設け、それらの鏡面の位置や角度を観察者の眼で対象物を視認できるように組み合わせた透明視覚効果演出方法において、多角柱側面表面上に対物鏡面及び観察鏡面を形成し、対物鏡面と観察面鏡に平行な対面に側面鏡を設けたことを特徴とする。【０００６】  入射側からの入射光を遮蔽物の周囲を迂回させて観察面へ反射させることで入射側の景色を観察面に映し出す。この迂回時、光を両側の平行な反射面で構成された迂回通路を通すことで、入射面への光の進行方向情報を保存したまま観察面から放射することができ、観察面には入射面の像がそのまま映し出されることで迂回させた遮蔽空間にある物が消失したように見える。但し、光が迂回した余分な距離分だけ遠くに見えることになる。また本手段の反射面が平面のため水平方向のみ像の位置関係が合う。一例では、本手段の上下方向の長さをできるだけ短くすれか見る角度を水平近くのみに制限すれば、距離の違いによる見え方が元の像に近い状態で観察できる。【０００７】  第二の手段は、多面体１と、多面体１の対物鏡面及び観察鏡面に合同な多角形を含んで構成された多面体２、の二つの多面体を想定したとき、多面体１の表面上に対物鏡面及び観察鏡面を形成し、更に多面体２中に多面体１を、多面体２の中心点から多面体１及び２の頂点が直線に並ぶように配置し、側面鏡は多面体２の内面に鏡面を形成することで構成し、入射光取り入れ口は、多面体１の１頂点（頂点ａ）を含む平面で多面体２を切断した切頭多面体の切断面（切断面Ａ）であり、同様に反射光出口は、頂点ａの多面体中心点を挟んで対角の頂点（頂点ｂ）を含む平面で切断した切断面（切断面Ｂ）から観察者方向へ反射させる多面体１と対角切頭多面体からなることを特徴とする。【０００８】  本手段では、反射面を立体とすることで、上下左右で反射させるため、左右方向のみならず、上下方向の光のベクトル情報も保存されて観察面に表示される像の位置関係を正確に再現することができる。【０００９】  第三の手段は、反射面で囲まれた遮蔽空間に光源を設け、点灯、消灯を制御するか、あるいは、該遮蔽空間への外部からの光の入射を制御することを特徴とする透明視覚効果演出方法及びその製品。【００１０】  特に、第二の手段では周りが全反射面で囲まれていて遮蔽部への光の入射がないため、そのままでは、遮蔽空間の中のものは透明に見える。しかし、中に光源を入れて点灯することで中のものと背面からの景色が重なって半透明に見える。また、第一の手段も遮蔽部を塞いでしまうと光が入らず同様に中が透明になる。この遮蔽空間の照度を制御することで遮蔽空間内の物が透明になったり半透明になったり、またオンオフ制御以外にも、照度の強弱制御によってそれらの像の混合具合やコントラストなどの見え方が変化する。
【発明の効果】
【００１１】  反射面を鏡で構成することで光路を迂回させた中心部を、あたかも透明になったように見せることができる。また、反射面でプリズムを使って入射平行光を全反射させて迂回させると、中心にある物からの光は空気からガラスやアクリルのような屈折率の高いものへの入射であるため観察面へ抜ける。そのため、背景の像と中心の像が重なってみえるため物が半透明になったように見える。透明または半透明の視覚効果が得られる。
【発明を実施するための最良の形態】
【００１２】  図１、図２、図３、図４、図５、図６は本発明の原理を説明するための説明図であり、下記実施例で共通して使用する。図１は平面鏡を組み合わせた一例である。１０１は側面鏡１、１０２は対物鏡１、１０３は対物鏡２、１０４は隠蔽空間、１０５は観察面鏡１、１０６は観察面鏡２、１０７は側面鏡２である。図２は図１の側面部を延長した一例である。２０１は側面鏡、２０２は対物鏡、２０３は側壁、２０４は観察鏡である。図３は反射面を透明なガラスなどの全反射で構成したものである。３０１はプリズム部、３０２は入射面、３０３は遮蔽空間、３０４は観察面である。図４は図３の側面を延長したものである。４０１は入射面、４０２はプリズム部、４０３は観察面、４０４は遮蔽空間である。図５は外側を切頭４面体２個のプリズム、内部を２個の４面体の空洞で構成したものである。５０１は入射面、５０２はプリズム部、５０３は遮蔽部、５０４は観察面である。図６は図５の側面を延長したものである。６０１は入射面、６０２はプリズム部、６０３は遮蔽空間、６０４は観察面である。数１、表１、表２はプリズム部の屈折率と角度範囲である。θは、光線と反射面のなす角度で９０度から入射角を引いた値である。αは空気との臨界角、βは絶対屈折率１．４のシリコンオイルとの臨界角、ωは水との臨界角である。【００１３】
【数１】
2010139997.tif 000003
【００１４】
【表１】
2010139997.tif 000004
【００１５】
【表２】
2010139997.tif 000005
【実施例１】
【００１６】  近年、公衆トイレでの犯罪が増加している。その主な理由は、プライバシー侵害の虞があるためトイレ内への防犯カメラの設置が困難で外部から隔離されることが多いことや、公衆トイレではトイレ外周に死角になる部分が多いためと考えられる。そこで、外から適度にトイレ建屋内を見ることができ、トイレの外周部の死角を少なくすることが求められている。図１及び図２は本発明の一例としてトイレに応用する場合、公衆トイレの上面断面図である。【００１７】  対物鏡側からの入射光を鏡で迂回させて観察面側に光の進行方向の情報を持ったまま反射させることで、観察面に対物鏡後方の景色を映し出すことで、中心部にあるものが視界から消失する。但し、光の到達距離が伸びるため、実際の位置よりも遠い位置に見える。図１の隠蔽空間（１０４）または、図２の鏡で囲まれた中心部にトイレを配置することで、トイレの周囲である側面鏡（１０１、１０７、２０１）と対物鏡（１０２、１０３、２０２）及び観察面鏡（１０５，１０６、２０４）の間の通路と対物鏡（１０２、１０３、２０２）の後方は前方の観察面から監視することが容易になる。この観察面側に監視カメラを設置することでトイレの周囲と後方を常に監視し犯罪の抑止につながる。また、トイレの上部の顔の位置を開口とすることでトイレ内の人の動きを最低限監視できる。【００１８】  本方式では、公衆トイレ以外にもエレベータの乗降口や柱、物置、テントなどに使用することができる。柱やエレベータなど視覚を遮るものを遮蔽したり隠蔽したりすることができる。
【実施例２】
【００１９】  図７は花瓶に応用した一例を示す側面断面図である。７０１はプリズム部、７０２は遮蔽空間、７０３は観察面、７０４は遮蔽空間の空洞部、７０５は水面である。【００２０】  ガラス壁面（７０１）で図３または図４のプリズム部（３０１、４０２）を構成した花瓶である。遮蔽空間（７０２）は（３０３、４０４）に対応し、水と花を入れたものである。遮蔽空間の空洞部（７０４）では入射面からガラスに入射した光は空気とガラスの境界面で全反射して観察面（７０３）に像が表示される。また、空洞部（７０４）内の花の茎からの光は空気からガラスへの入射のため観察面（７０３）に表示される。後ろからの背景と重なって花の茎が表示されるため、あたかも花がその部分だけ半透明になったような視覚効果が得られる。更に、水の入った水面（７０５）以下の領域では水と低屈折率のガラスでは全反射が起きないため花の茎は実物と同じ茎として表示される。本実施例の遮蔽部に人形を入れたり、出したりすることで半透明な人形を用いた広告塔を作ることができ、他にも陳列用ディスプレイやアクセサリーに使用できる。また、ゴミ箱やペン立てなどの容器にも応用できる。
【実施例３】
【００２１】  図８は置時計に応用した一例を示す側面断面図である。８０１は台、８０２はプリズム部、８０３は観察面、８０４は遮蔽空間である。【００２２】  本実施例は、図５または図６のプリズムの遮蔽空間（５０３、６０３）に照明付時計を、文字盤を観察面（５０４、６０４）側に向けて設けたものである。プリズム部（８０２）は５０２または６０２に対応し、観察面（８０３）は５０４または６０４し、遮蔽空間（８０４）は５０３または６０３に対応する。本実施例は前述実施例と同様に時計の文字盤が半透明に見える。また、表２の高屈折率ガラスやキュービックジルコニアをプリズム部に使用することでプリズムの反射面角度を表のごとく大きくすることができ厚みを薄くすることができる。また、設定時間になると照明を点滅することで音とともに時計が透明になったり半透明になったりして時間を知らせる時計ができる。また、遮蔽空間部（８０４）に水とともに半透明に見せたい物を入れる場合は、プリズムの材料に表２のωの値が４５度を超えるものを使用し、シリコンオイルと共に封入する場合はβの値が４５度を超えるものを使用する。
【実施例４】
【００２３】  本実施例では、図５または図６を透明な食品に応用した一例を示す。【００２４】  寒天やゼラチン、飴、氷砂糖、塩等の透明または半透明の食品をプリズム部（５０２、６０２）に、他の固形食品を遮蔽空間（５０３、６０３）に空気とともに密閉することで、固形食品を半透明に見せかけることができる。表１の臨界角αが４５度未満の食品の場合は、プリズムの入射光に対する反射面の角度を臨界角θ以下にすることで半透明効果を得ることができる。臨界角αが４５度以上の食品は表の最小θ以上と最大θ以下の範囲で構成することで同様の効果を得ることができる。また、表にない材料は、最小θの値は数１によって求めることができる。
【産業上の利用可能性】
【００２５】  建物、建築物の柱やエレベータホール、置き時計、看板や広告塔やディスプレイ、ゴミ箱、収納容器、ペン立てや筆箱、照明器具、花瓶、菓子等の食品、プリズム。
【図面の簡単な説明】
【００２６】
【図１】本発明の一例で、実施例全般を説明するための上面断面図である。
【図２】本発明の一例で、実施例全般を説明するための上面断面図である。
【図３】本発明の一例で、実施例全般を説明するための斜視説明図である。
【図４】本発明の一例で、実施例全般を説明するための斜視説明図である。
【図５】本発明の一例で、実施例全般を説明するための斜視説明図である。
【図６】本発明の一例で、実施例を説明するための斜視説明図である。
【図７】本発明の一例で、実施例２を説明するための側面断面説明図である。
【図８】本発明の一例で、実施例３を説明するための側面断面説明図である。
【符号の説明】
【００２７】１０１、１０７、２０１  側面鏡
１０２、１０３、２０２  対物鏡
１０４、３０３、４０４、５０３、６０３、７０２、８０４  隠蔽空間
１０５、１０６、２０４  観察面鏡
２０３  側壁
３０１、４０２、５０２、６０２、７０１、８０２  プリズム部
３０２、４０１、５０１、６０１  入射面
３０４、４０３、５０４、６０４、７０３、８０３  観察面
７０４  遮蔽空間の空洞部
７０５  水面
８０１  台
θ  光線と反射面のなす角度
α、β、ω  臨界角
【図１】
2010139997.tif 000006
【図２】
2010139997.tif 000007
【図３】
2010139997.tif 000008
【図４】
2010139997.tif 000009
【図５】
2010139997.tif 000010
【図６】
2010139997.tif 000011
【図７】
2010139997.tif 000012
【図８】
2010139997.tif 000013